(57)【特許請求の範囲】
【請求項１】
扉または引戸の前面壁の上端部の裏面側に固定される取付片と、この取付片に沿って延出されて前記扉または引戸の前面壁の上方に延設される立壁部と、この立壁部より前方に延設された天面部と、前記天面部の先端より延在された手掛部で構成され、前面側に開口を設けたライン取手が前記扉または引戸の前面壁上端部に取り付けられ、
前記立壁部裏面と前記天面部上面と前記手掛部前面の三面に接触して前記ライン取手に被せられるフック片と、前記フック片の一部から該フック片の外方に延在されて前記ライン取手に被着された状態において前記ライン取手の開口部から外側に延在される固着片と、この固着片を延在するように該固着片に装着されたフック部材と、前記固着片の裏面側に沿って回動自在に、かつ、前記フック片の内側に延在するように前記固着片に装着されたロック部材を備えて掛け具本体が構成され、
前記掛け具本体が、一対、前記ライン取手に沿って左右に離間配置され、これら一対の掛け具本体のフック部材間に支持ロッドが張架された支持ロッドの取付構造であって、
前記掛け具本体が、前記フック片を前記ライン取手に被着して前記固着片を前記ライン取手の外方側に延在させた状態において前記ロック部材を前記立壁部内面と前記天面部内面と前記手掛部下端の少なくとも１以上に当接させて前記ライン取手に装着されたことを特徴とする支持ロッドの取付構造。
【請求項２】
前記フック片において前記ライン取手に対する当接面の少なくとも１面以上に滑り止め材が設けられたことを特徴とする請求項１に記載の支持ロッドの取付構造。
【請求項３】
前記ロック部材において前記フック片側の端部に、前記手掛部下端に当接する第１の係止部と、前記立壁部および天面部の境界部に当接する第２の係止部と、前記立壁部に当接する第３の係止部が形成されたことを特徴とする請求項１または２に記載の支持ロッドの取付構造。
【請求項４】
前記フック片を前記ライン取手に装着した状態において前記固着片が前記ライン取手の開口部の外側において下向きに傾斜するように前記フック片に一体化され、該フック片の下面に沿って回動自在に設けられた前記ロック部材がその一端部側を前記ライン取手の開口側から前記フック片の内側に挿入自在に構成されたことを特徴とする請求項１〜３のいずれか一項に記載の支持ロッドの取付構造。
【発明の詳細な説明】
【技術分野】
【０００１】
本発明は、台所や洗面所のキャビネットなどの開閉式の扉あるいは引出の前面板などの上面に設けられたライン取手に取り付ける支持ロッド取付構造に関する。
【背景技術】
【０００２】
台所や洗面所に用いられるキャビネットに設けられる扉や引出の前面板の取手としては、扉の前面に突出した握り部分を有するハンドルタイプの取手と、扉の上面に扉幅と略同一寸法の長さの取手を配置するライン取手タイプのデザインに大別されている。
【０００３】
台所や洗面所で手拭用タオル掛けを設ける位置としては、手に付いた水が袖元に伝わらないように、作業面の天板の高さより下方で、且つ水仕事を行うシンク近傍の位置に配置するのが一般的である。
そこで、ライン取手の扉にタオル掛け具を配置する場合に、ライン取手の手掛け部分を挟み更にライン取手の溝に嵌めこんでタオル掛け具をライン取手に取付ける方法が特許文献１に開示されている。
【０００４】
近年、ライン取手のデザインは、図３（Ａ）に示すように扉上面木口全面を覆う仕様から、以下の登録意匠（特許文献２参照）に添付の使用状態参考図に表現されているように、扉上面木口の一部を覆う仕様のデザイン図３(Ｂ)が創作されており、これはデザイン性の多様化、扉板厚の取り付け制限を受けない汎用性の向上、および材料量削減によるコスト低減などの複数のメリットがあり、各社で採用が行われている。
【０００５】
ところで、台所や洗面所などのキャビネットに設けられる扉の基材の多くは木質系で、扉の木口の処理は樹脂製のシート等を接着して仕上げられている、そこで特許文献１に記載のタオル掛け具を図３（Ｂ）に示すライン取手に取付けた場合には、取手溝に嵌め込む嵌め込み突部と扉上面木口の化粧面が当接され、化粧面が傷付き剥がれてしまう恐れがあり、更には、扉上面木口の破損により嵌め込溝の開口が拡大することで、タオル掛け具の保持強度が低下するという問題点があった。
【０００６】
そこで、以下の特許文献３に記載の様に、ライン取手上部の略コ字状に形成された内壁に支持部材を嵌め込み、略コ字状の掛止め部材を上方より装着し、更に支持部材と掛止め部材を固定するカバー部材を挿入することにより、ライン取手上部の略コ字状部分にタオル掛け具を取り付ける方法が開示されている。
【先行技術文献】
【特許文献】
【０００７】
【特許文献１】特開２００７−０６８５５７号公報
【特許文献２】意匠登録第１３２９９６２号公報
【特許文献３】特開２０１３−０１３５４９号公報
【発明の概要】
【発明が解決しようとする課題】
【０００８】
特許文献３に記載の従来技術では、取り付ける為の部品点数が多くコストが高くなるとともに、着脱手順が複雑となる上に、カバー部材を挿入して取り付けが完了するまで取り付け部材の保持が必要であり装着性が良いとは言えない、更に各部材がバラバラに分解する為に、移動による着脱時や未使用での保管等で部材の破損や紛失などを起こす問題点があった。
【０００９】
本発明は、前記従来の問題点に鑑みなされたものであって、扉または引戸の前面壁の上端部に取り付けられているライン取手の略コ字状部分に最少の部材で、且つワンタッチで装着可能とし、着脱や保管による部材の破損や紛失を防止できるライン取手用の支持ロッド取付構造を提供することにある。
【課題を解決するための手段】
【００１０】
本発明は、前記課題を解決する手段として、以下の構成を有する。
（１）本発明は、扉または引戸の前面壁の上端部の裏面側に固定される取付片と、この取付片に沿って延出されて前記扉または引戸の前面壁の上方に延設される立壁部と、この立壁部より前方に延設された天面部と、前記天面部の先端より延在された手掛部で構成され、前面側に開口を設けたライン取手が前記扉または引戸の前面壁上端部に取り付けられ、前記立壁部裏面と前記天面部上面と前記手掛部前面の三面に接触して前記ライン取手に被せられるフック片と、前記フック片の一部から該フック片の外方に延在されて前記ライン取手に被着された状態において前記ライン取手の開口部から外側に延在される固着片と、この固着片を延在するように該固着片に装着されたフック部材と、前記固着片の裏面側に沿って回動自在に、かつ、前記フック片の内側に延在するように前記固着片に装着されたロック部材を備えて掛け具本体が構成され、前記掛け具本体が、一対、前記ライン取手に沿って左右に離間配置され、これら一対の掛け具本体のフック部材間に支持ロッドが張架された支持ロッドの取付構造であって、前記掛け具本体が、前記フック片を前記ライン取手に被着して前記固着片を前記ライン取手の外方側に延在させた状態において前記ロック部材を前記立壁部内面と前記天面部内面と前記手掛部下端の少なくとも１以上に当接させて前記ライン取手に装着されたことを特徴とする。
【００１１】
（２）本発明に係る支持ロッドの取付構造は、（１）に記載のフック片において前記ライン取手に対する当接面の少なくとも１面以上に滑り止め材が設けられた構成にすることができる。
（３）本発明に係る支持ロッドの取付構造は、（１）または（２）に記載のロック部材において前記フック片側の端部に、前記手掛部下端に当接する第１の係止部と、前記立壁部および天面部の境界部に当接する第２の係止部と、前記立壁部に当接する第３の係止部が形成された構成にすることができる。
（４）本発明に係る支持ロッドの取付構造は、（１）〜（３）の何れかに記載のフック片を前記ライン取手に装着した状態において前記固着片が前記ライン取手の開口部の外側において下向きに傾斜するように前記フック片に一体化され、該フック片の下面に沿って回動自在に設けられた前記ロック部材がその一端部側を前記ライン取手の開口側から前記フック片の内側に挿入自在に構成されていても良い。
【発明の効果】
【００１２】
本発明によれば、ライン取手上部の略コ字状部分の上部を覆うようにフック片を嵌め込み、次にフック片の下方に位置されているロック部材を回動させてライン取手の内面側にロック部材を押し付ける構成とすることにより、ライン取手内面にロック部材を押し付けてライン取手の上部に掛け具本体をワンタッチで固定することができる。
ライン取手上部にフック片を嵌合しロック部材をライン取手の内面側に押し付けることで掛け具本体をライン取手上部に強固に固定できる。よって、掛け具本体間に掛け渡される支持ロッドを安定支持することができ、支持ロッドによりタオルなどの支持物を安定支持できる構造を提供できる。
【００１３】
また、ロック部材を固着片に沿って回動させてライン取手の内面側から外すことで掛け具本体をワンタッチでライン取手から外すことができ、支持ロッド取付構造の取り外しも容易にできる。
更に、ライン取手とフック片との間の嵌合面のうち、少なくとも一面以上に滑り止め材を配置することにより、ライン取手に装着後、タオル掛け具の横滑りを防止でき、ライン取手に対する傷付きを防止した構造を提供できる。
【図面の簡単な説明】
【００１４】
【図１】本発明に係る支持ロッド取付構造の第１実施形態を扉上部のライン取手に係止した状態を示す断面図。
【図２】同状態の正面図。
【図３】本発明に係るライン取手の構成例を示すもので、（Ａ）は従来のライン取手の断面図、（Ｂ）は本発明を適用するライン取手の側面図。
【図４】本発明に係る支持ロッド取付構造の分解斜視図。
【図５】本発明に係る支持ロッド取付構造に組み込まれるフック部材を示すもので、（Ａ）は裏面側を示す斜視図、（Ｂ）は上面側を示す斜視図、（Ｃ）は側面図、（Ｄ）は裏面図、（Ｅ）は部分断面図。
【図６】本発明に係る支持ロッド取付構造に組み込まれるフック片を示すもので、（Ａ）は斜視図、（Ｂ）は上面側を示す斜視図、（Ｃ）は側面図。
【図７】本発明に係る支持ロッド取付構造に組み込まれるロック部材を示すもので、（Ａ）は上面側を示す斜視図、（Ｂ）は裏面側を示す斜視図、（Ｃ）は裏面図、（Ｄ）は側面図、（Ｅ）は部分断面図。
【発明を実施するための形態】
【００１５】
「第１の実施形態」
以下、本発明の第一実施形態を挙げて本発明の詳細を説明する。
本発明の支持ロッドの取付構造は、流し台、キッチンキャビネット、洗面化粧台、抽斗や開閉部に設けてある扉、あるいは、引き出しの前面板などの前面壁の上端部に取り付けられたライン取手に装着されて使用される。
図１は、流し台・キッチンキャビネット・洗面化粧台等の抽斗や開閉部に設けられている扉２の上端部に扉２を開閉するための手掛かり部７と天面部６と立壁部５を有する側面略コ字型のライン取手３が扉２の幅方向全長にわたり設けられた例を示している。
【００１６】
前記ライン取手は一例として図３（Ａ）に示すように扉や木口全体を覆う形状や、他の例として図３（Ｂ）のような扉木口の一部を覆うような形状のものが取付片を介し前面壁２の上端部に固定されて使用される。なお、ライン取手はアルミニウムまたはアルミニウム合金の押出成形品を加工したものが一般的に採用される。
【００１７】
図３（Ａ）に例示するライン取手３０は、扉２の上端部裏面側に沿って配置された取付片３４と、この取付片３４から扉２の上方に向いてほぼ垂直に延在された立壁部３５と、この立壁部３５の上端部から水平に（扉２の厚さ方向に平行に）延在された天面部３６と、天面部３６の先端部に垂下された手掛部３７を有している。このライン取手３０の上部内側には立壁部３５と天面部３６と手掛部３７に囲まれた取手用溝部３３が形成されている。
また、取付片３４と立壁部３５の境界部分に段部３８が形成され、この段部３８の部分から取付片３４に直角向きに（水平向きに）被覆片３９が延在され、被覆片３９は扉２の上端面を覆うように延在されている。被覆片３９の奥行き方向中央部下面と被覆片３９の先端部下面には補強リブ片４０、４１がライン取手３０の全幅方向に突出形成され、被覆片３９の奥行き方向中央側から斜め上方に延出されて立壁部３５に一体化された補強片４２がライン取手３０の全幅方向に形成されている。
【００１８】
図３（Ａ）に示すライン取手３０に以下に説明する本実施形態の支持ロッド取り付けを装着することもできるが、本実施形態では図３（Ｂ）に示す形状のライン取手３に後述する支持ロッド取付構造Ａを装着する場合を例にして以下に説明する。なお、後に説明する支持ロッド取付構造Ａは、図３（Ａ）に示すライン取手３０にも適用可能であるが、このライン取手３０よりも意匠性などを向上させ、構成を簡略化した図３（Ｂ）に示すライン取手３に適用されることが好ましい。
【００１９】
図３（Ｂ）に示すライン取手３は、扉２の上端部裏面側の全幅に沿って配置された取付片４と、この取付片４から扉２の上方に向いてほぼ垂直に延在された立壁部５と、この立壁部５の上端部から水平に（扉２の厚さ方向に平行に）延在された天面部６と、天面部６の先端部から垂下された手掛部７を有している。
また、取付片４と立壁部５の境界部分に段部５ａが形成され、この段部５ａの内側部分を扉２の上端部奥側の角部に突き当ててライン取手３が扉２の上端部に装着されている。なお、取付片４にはその長さ方向（扉２の幅方向）に沿って間欠的に複数の透孔４ａが形成されていて、これらの透孔４ａを通過させてビスやネジを扉２の上端部裏面側にねじ込むことでライン取手３は扉２の上端部に固定されている。ライン取手３において手掛部７の高さは立壁部５の高さの数分の一とされているので、手掛部７の下方においてライン取手３の前方側（扉２の前方側）には、立壁部５と天面部６と手掛部７に囲まれた取手用溝部３ａが形成され、ライン取手の３の前方側には開口部が形成されている。
【００２０】
立壁部５は段部５ａの部分を介し取付片４よりも若干扉２の前面に近い側に配置されているので、立壁部５は段部５ａを介して扉２の上に載置された状態にあり、立壁部５に作用する荷重は扉２が主に受けるようになっている。
なお、ライン取手３は図３（Ａ）に示すライン取手３０よりも構成部材を簡略化し、扉２の前方側から扉２の上端部を視認できる構成としているので、この実施形態の扉２においてはその上端面に薄板状の化粧部材２Ａが取り付けられ、意匠面で配慮されている。
【００２１】
本実施形態の支持ロッド取付構造Ａは、図２に示すようにライン取手３を正面視した場合に左右に離間して配置された掛け具本体１５とこれらの掛け具本体１５の間に架設された筒型の支持ロッド１３とから構成されている。
図１と図４に例示するように掛け具本体１５は、ロック部材８とフック片９とフック部材１０とこれらを連結するためのビス１６およびねじ部材１１とからなる。ねじ部材１１は、頭部１１ａと軸部１１ｂと軸部先端側のねじ軸１１ｃを有している。
【００２２】
フック部材１０は、図５に示すように硬質樹脂材料により一体成型されたもので、嵌合穴１０ａを備えた円筒状の筒部１０Ａとこの筒部１０Ａの一側部から側方に延出形成された横断面コ字型の延出部１０Ｂとからなり、延出部１０Ｂの内側にはビス止め用の円筒部１０ｂが２つ間隔をあけて立設されている。延出部１０Ｂは、筒部１０Ａの周壁の一部を側方に延長するよう延在された平板状の底壁部１０ｃとこの底壁部１０ｃの幅方向両側に立設されて前記筒部１０Ａの一側に一体化された側壁部１０ｄとからなる。延出部１０Ｂの開口部両側であって、側壁部１０ｄの先端部側に側壁部１０ｄの高さを一部低くした段部１０ｅが形成されている。
フック部材１０の側壁部１０ｄ、１０ｄにおいて筒部１０Ａに接続した側と反対側の端部には斜面１０ｆが形成されている。この斜面１０ｆはフック部材１０に設けられている一方の円筒部１０ｂ近くの部分から始まり底壁部１０ｃの先端側まで形成されている。
フック部材１０の側壁部１０ｄ、１０ｄの間であって、筒部１０Ａ近くの位置に仕切板１０ｇが設けられている。
また、筒部１０Ａの嵌合穴１０ａの内側には、筒型の支持ロッド１０の開口端部を装着するための内頭部１０ｍが形成されている。
【００２３】
フック片９は、図６に示すようにステンレス鋼などの板金の折曲体からなる一体ものであり、それぞれ矩形板状の第１係止片９Ａと第２係止片９Ｂと第３係止片９Ｃとからなるコ字型のフック部９Ｄと、第３係止片９Ｃの一端からフック部９Ｄの外方に延出形成された舌状の固着片９Ｅとからなる。コ字型のフック部９Ｄの大きさは、前述のライン取手３に嵌め込み嵌合が可能な大きさとされている。即ち、コ字型のフック部９Ｄのうち、第１係止片９Ａをライン取手３の立壁部５の外面に沿わせ、第２係止片９Ｂをライン取手３の天面部６の上面に沿わせ、第３係止片９Ｃをライン取手３の手掛部７の前面に沿わせることによりフック部９Ｄをライン取手３に嵌合できる大きさに構成されている。
【００２４】
なお、本実施形態では図１に示すように第１係止片９Ａの内側に軟質樹脂材等からなる滑り止め材１２Ａが貼着され、第２係止片９Ｂの内側に滑り止め材１２Ｂが貼着され、第３係止片９Ｃの内側に滑り止め材１２Ｃが貼着されている。このため、フック部９Ｄを図１に示すようにライン取手３に嵌合した場合、フック部９Ｄは滑り止め材１２Ａ、１２Ｂ、１２Ｃを介しライン取手３に嵌合される。
【００２５】
フック部９Ｄにおいて第１係止片９Ａと第２係止片９Ｂと第３係止片９Ｃはそれらでコ字型を構成するような大きさとされているが、第３係止片９Ｃの長さは第１係止片９Ａよりも若干短く形成され、固着片９Ｅは第３係止片９Ｃの外側に傾斜して延在するように第３係止片９Ｃに対し一体化されている。このため、フック部９Ｄをライン取手３に嵌め込み嵌合した場合、固着片９Ｅはライン取手３の手前側に傾斜した状態で延在される。
【００２６】
前記固着片９Ｅにはビス挿通用の支持孔９ａ、９ｂが離間形成され、支持孔９ａ、９ｂの間に軸挿通用のねじ孔９ｄが形成されている。
固着片９Ｅは、フック部材１０の側壁部１０ｄ、１０ｄの間に嵌め込み可能な幅と長さに形成され、固着片９Ｅを側壁部１０ｄ、１０ｄの間に嵌め込みした状態において固着片９Ｅの支持孔９ａ、９ｂをフック部材１０の円筒部１０ｂ、１０ｂに位置合わせできるように形成されている。図１に示すように固着片９Ｅの支持孔９ａ、９ｂを貫通してフック部材１０の円筒部１０ｂ、１０ｂにビス１６をねじ込むことで後述する如く固着片９Ｅにフック部材１０が一体化される。
【００２７】
ロック部材８は、図７に示すように硬質樹脂材料により一体成型されたもので、前述した固着片９Ｅの裏面側に沿わせられる長方形状のスライド面８ａを備えたスライド部８Ａとこのスライド部８Ａの一側部側に延設されたロック部８Ｂとからなる。
スライド部８Ａにおいてスライド面８ａの２つの長辺とそれら長辺に挟まれた短辺の周囲にはスカート状の周壁部８Ｃがアール部８ｂを介し形成されている。
図７（Ａ）に示すようにロック部８Ｂは、スライド面８ａに対し段部８ｄを介し延在されたロック片８ｅとスライド部８Ａの周壁部８Ｃをロック部８Ｂ側に延在させた周壁部８Ｄとからなる。周壁部８Ｃはロック部８Ｂに向かうにつれて徐々に高くなるように形成され、周壁部８Ｃに連続する周壁部８Ｄにおいても、段部８ｄの部分から離れるにつれて徐々に高くなるように形成されている。なお、段部８ｄの幅方向両側とロック片８ｅの幅方向両側部分においてもアール部８ｂを介し周壁部８Ｄが形成されている。
【００２８】
ロック部８Ｂにおいて、段部８ｄに近いロック片８ｅの外面側に段部８ｄに沿って第１の係止部８Ｇが形成され、ロック片８ｅの外面側において段部８ｄから最も離れた端縁側に第２の係止部８Ｈが形成されている。また、ロック部８Ｂにおいて、周壁部８Ｄの一側端縁側であって第２の係止部８Ｈに続く端縁側に第３の係止部８Ｊが形成されている。なお、ロック片８ｅから第２の係止部８Ｈに至る部分と周壁部８Ｄから第３の係止部８Ｊに至る部分にもアール部８ｆが形成されている。
スライド面８ａの幅方向中央側であって、段部８ｄに近い側に径の大きな通過孔８ｍが形成され、段部８ｄから離れた側に径の小さな支持孔８ｐが形成されている。通過孔８ｍの内径は前述したビス１６の頭部を通過可能な大きさに形成され、支持孔８ｐの内径は前述したねじ部材１１の軸部１１ｂを通過可能な大きさに形成されている。
【００２９】
ロック部材８はスライド面８ａをフック片９の固着片裏面側に沿わせた状態でロック部８Ｂをコ字状のフック部９Ｄの内側に挿入できるような形状と大きさに形成されている。
このため、図１に示すようにフック片９のフック部９Ｄをライン取手３に上から嵌合し、固着片９Ｅをライン取手３の取手用溝部３ａの開口から外側に斜め下向きに配置し、固着片９Ｅの裏面側にロック部材８のスライド面８ａを沿わせた状態において、ロック部８Ｂの第１の係止部８Ｇを手掛部７の下端に接触させ、第２の係止部８Ｈを立壁部５と天面部６の内側境界部分に接触させ、第３の係止部８Ｊを立壁部５の上端部内面側に接触させることができる。
【００３０】
図２に示すように扉２の上端部にライン取手３が取り付けられている。このライン取手３において支持ロッド１３を支持するための必要な位置に左右に離間するように掛け具本体１５を装着する。
掛け具本体１５は、図１、図４に示すように固着片９Ｅをフック部材１０の側壁部１０ｄ、１０ｄ間に挿入し、支持孔９ａ、９ｂを挿通してフック部材１０の円筒部１０ｂにビス１６をねじ込むことでフック片９とフック部材１０を一体化しておく。また、フック部材１０において固着片９Ｅを取り付けた部分の外側をスライド面８ａで覆うようにロック部材８を被せ、ロック部材８の通過孔８ｍを介してねじ部材１１のねじ軸１１ｃをフック片９のねじ孔９ｄに螺合して組み立てておく。ねじ軸１１ｃをフック片９のねじ孔９ｄに螺合した場合、ロック部材８の通過孔８ｍの部分はねじ部材１１の軸部１１ｂが挿通しているので、ロック部材８は軸部１１ｂを回転中心とし、固着片９Ｅの裏面に沿って回動自在に支持されている。
なお、ロック部材８をフック部材１０に装着する際、ロック部材８のロック部８Ｂ側がフック部９Ｄの内側に挿入される向きとする。
【００３１】
図４に示す左右の掛け具本体１５において、左側に示す掛け具本体１５が上述のように組み付けられた状態を示し、右側に示す掛け具本体１５が各構成部品を分離して分解した状態を示す。
図１と図４にロック部材８とフック片９とフック部材１０を一体化した状態を示すが、フック部材１０の２つの側壁部１０ｄにそれぞれ段部１０ｅが形成されて側壁部１０ｄが低く形成されているので、ロック部材８が軸部１１ｂを中心として回動する際、側壁部１０ｄと干渉しないように構成されている。また、側壁部１０ｄの一端側に斜面１０ｆを形成しているので、フック片９とフック部材１０を一体化した状態において斜面１０ｆをフック片９の第３係止片９Ｃに沿わせて納まりよく配置し、相互干渉を防止できる。
【００３２】
掛け具本体１５を装着する場合、ライン取手３の立壁部５と天面部６と手掛部７の必要位置に掛け具本体１５のフック部９Ｄを図１に示すように上から被せてフック片９を仮止めする。仮止めの際、ロック部８Ｂをフック部９Ｄの内側に位置させておくと仮止めができないので、ねじ部材１１を回転中心としてロック部材８を若干回転させてフック部９Ｄの内側からロック部材８を外しておき、フック部９Ｄを開放しておく。
フック部９Ｄを構成する立壁部５と天面部６と手掛部７の内面側にはそれぞれ軟質の滑り止め材１２Ａ、１２Ｂ、１２Ｃを設けているので、仮止めした状態において掛け具本体１５がライン取手３の長さ方向にずれ難い。
ライン取手３に沿って掛け具本体１５、１５を離間して仮止めする際、掛け具本体１５、１５の嵌合穴１０ａ、１０ａ間に支持ロッド１３を予め装着しておくことができる。
この後、横向きに退避させていたロック部材８を縦方向に回動させてロック部８Ｂをフック部９Ｄの内側に移動させる。フック部９Ｄの内側には、立壁部５、天面部６、手掛部７が存在しているので、ロック部材８はこれらに接触しながらこれらの内側に嵌合する。
この際、ロック部材８の周縁部に立て方向の回転時に少ない力で回転を容易に行えるようにアール部８ｂ、８ｆを設けているので、ロック部材８をフック部９の内側に嵌合する動作を円滑になし得る。
【００３３】
図１にロック部材８を立壁部５、天面部６、手掛部７の内側に嵌合した状態の一例を示す。図１に示す構造において、ロック部材８の第１の係止部８Ｇを手掛部７の下端部に接触させ、第２の係止部８Ｈを立壁部５と天面部６の境界部に接触させ、第３の係止部８Ｊを立壁部５の内面側に接触させることでロック部材８をライン取手３の内側に挟み込むように固定し、掛け具本体１５を固定できる。
【００３４】
以上のようにライン取手３にフック片９を被せて嵌合した後、ロック部材８を回動させてロック部材８の係止部８Ｇ、８Ｈ、８Ｊを取手用溝部３ａは嵌合するという極めて簡単な操作でもって掛け具本体１５を固定し支持ロッド１３を支持することができる。
また、ねじ部材１１を回転中心としてロック部材８を回動させて係止部８Ｇ、８Ｈ、８Ｊを取手用溝部３ａから外すことで掛け具本体１５をライン取手３から容易に取り外すことができる。
【００３５】
図１に示す構造ではフック部材１０が斜め下方に傾斜されているので、タオルが掛けやすいようにライン取手３に対し斜め取付構造が採用されている。
また、フック部９Ｄを構成する立壁部５と天面部６と手掛部７の内面側にはそれぞれ軟質の滑り止め材１２Ａ、１２Ｂ、１２Ｃを設けているので、掛け具本体１５がライン取手３の長さ方向にずれ難く、横滑り防止ができる構造となる。このため、ライン取手３の内面側に傷を付け難い構造にできる。
図１に示す構造ではライン取手３の立壁部５の上部と天面部６と手掛部７のみで支持ロッド取付構造が成立するので、扉２の木口面の化粧面に影響を与えることなく支持ロッド１３を取り付け、取り外しができる。このため、扉２の木口に化粧板２Ａを設けた構造であっても、化粧板２Ａの傷付きや剥離を回避できる。
【００３６】
なお、本実施形態では扉２の上端部に設けたライン取手３にタオル掛け具Ａを取り付けた構造について説明したが、扉２の代わりに、引き出しの前面板を前面壁としてその上端部にライン取手３を設けた構造に支持ロッド取付構造を適用しても良い。
他に、ライン取手３を設ける構造は、キッチンペーパーホルダーの取付用の前面壁、調理器具掛け用の前面壁などにも適用することが可能なので、これら各種の前面壁に対し支持ロッド１３の取付構造を適用しても良い。
なおまた、軟質の滑り止め材１２Ａ、１２Ｂ、１２Ｃは掛け具本体１５の横滑りを防止できる材質であれば軟質樹脂、発泡樹脂等いずれでも良く、滑り止め効果があれば材質は問わない。
【符号の説明】
【００３７】
２…扉、３…ライン取手、４…取付片、５…立壁部、６…天面部、７…手掛部、８…ロック部材、８Ａ…スライド部、８ａ…スライド面、８Ｇ…第１の係止部、８Ｈ…第２の係止部、８Ｊ…第３の係止部、９…フック片、９Ａ…第１係止片、９Ｂ…第２係止片、９Ｃ…第３係止片、９Ｄ…フック部、９Ｅ…固着片、１０…フック部材、１０Ａ…筒部、１０Ｂ…延出部、１０ｄ…側壁部、１１…ねじ部材、１２Ａ、１２Ｂ、１２Ｃ…滑り止め材、１３…支持ロッド、１５…掛け具本体、１６…ビス。
【図１】
0006358745.tif 000002
【図２】
0006358745.tif 000003
【図３】
0006358745.tif 000004
【図４】
0006358745.tif 000005
【図５】
0006358745.tif 000006
【図６】
0006358745.tif 000007
【図７】
0006358745.tif 000008